(57)【要約】【課題】低コストで情報を光ディスクに書き込むことが可能な光ディスク記録装置を提供すること。【解決手段】光ディスク１を回転駆動する駆動手段（スピンドルモータ１１）と、光ディスクの回転角を検出する検出手段（エンコーダ１２）と、光ディスクのトラックに予め記録されているアドレス情報を読み取る読み取り手段（光ピックアップ部１４）と、光ディスクに書き込もうとする情報を記憶する記憶手段（ＲＡＭ２２）と、検出手段によって検出された回転角と、読み取り手段によって読み取られたアドレス情報とを参照し、記憶手段に記憶されている情報を、光ディスクの所定の位置に光学的に書き込む書き込み手段（光ピックアップ部１４）と、を有する。【選択図】図１
2007280438.tif 000002
【特許請求の範囲】
【請求項１】
光ディスクに情報を記録する光ディスク記録装置において、
上記光ディスクを回転駆動する駆動手段と、
上記光ディスクの回転角を検出する検出手段と、
上記光ディスクのトラックに予め記録されているアドレス情報を読み取る読み取り手段と、
上記光ディスクに書き込もうとする情報を記憶する記憶手段と、
上記検出手段によって検出された回転角と、上記読み取り手段によって読み取られたアドレス情報とを参照し、上記記憶手段に記憶されている情報を、上記光ディスクの所定の位置に光学的に書き込む書き込み手段と、
を有することを特徴とする光ディスク記録装置。
【請求項２】
前記情報は著作権保護のためのバーコードシンボルであり、前記書き込み手段は、当該バーコードシンボルを、前記光ディスクのＮＢＣＡに光学的に書き込むことを特徴とする請求項１記載の光ディスク記録装置。
【請求項３】
前記書き込み手段による書き込みが正常であるか否かを判定する判定手段をさらに有することを特徴とする請求項２記載の光ディスク装置。
【請求項４】
前記判定手段は、前記バーコードシンボルが形成されたトラックのうちの複数のトラックについて判定を行うことを特徴とする請求項３記載の光ディスク装置。
【請求項５】
前記書き込み手段は、前記光ディスクのデータ領域に情報を書き込むための書き込み手段と同一の書き込み手段によって前記バーコードシンボルを書き込むことを特徴とする請求項２記載の光ディスク記録装置。
【請求項６】
光ディスクに情報を記録する光ディスク記録方法において、
上記光ディスクを回転駆動し、
上記光ディスクの回転角を検出し、
上記光ディスクに予め記録されているアドレス情報を読み取り、
上記光ディスクに書き込もうとする情報を記憶し、
検出された回転角と、読み取られたアドレス情報とを参照し、記憶されている情報を、上記光ディスクに光学的に書き込む、
ことを特徴とする光ディスク記録方法。
【発明の詳細な説明】
【技術分野】
【０００１】
本発明は、光ディスク記録装置および光ディスク記録方法に関する。
【背景技術】
【０００２】
いわゆるＣＤ（Compact Disc）またはＤＶＤ（Digital Versatile Disc）等の光ディスクは、その情報がディジタルデータで記録されているために複数回の複製によっても記録されている情報に劣化がないことから、不正な複製の対象となり易い。特に、それらの光ディスクが「海賊版」と称される光ディスクとして複製されると、著作権者や出版社に多大な不利益をもたらすことになる。
【０００３】
従って、著作権法でも特別な考慮が図られているとともに、出版社側では光ディスクのレーベル面や最内周側の鏡面領域に正規の製品であることを示す識別情報（製造ロット番号またはシリアル番号等）を印刷・刻印して製造・出荷を管理することが行われている。しかし、このような識別情報を印刷や刻印によって行うのではその複製も容易である。そこで、光ディスクの製造に際して、その保護層を形成する前または形成した後に、高出力レーザビームで、図８に示す光ディスク１００の鏡面領域の反射層１０１に光ディスク１００の中心から見て放射方向に長いバーコードエレメントとなる貫通孔１０２を形成してバーコードシンボル１０１ａを構成する方式が提案されている（特許文献１参照）。
【０００４】
【特許文献１】特開平６−２０３４１２号公報（要約書、請求項）
【発明の開示】
【発明が解決しようとする課題】
【０００５】
ところで、特許文献１に示す方法では、前述のように、高出力レーザビームによって貫通孔１０２を形成するが、高出力レーザビーム光源は一般に寿命が短く、また、部品の価格が高い。このため、多数の光ディスクに対してバーコードシンボルを形成する場合には、高出力レーザビーム光源を頻繁に交換する必要があることから、コストが高くつくという問題点がある。
【０００６】
また、貫通孔ではなく、レーザビームによって記録媒体（例えば、色素膜）に化学変化を発生させ、バーコードシンボルを形成する技術もある。そのような従来技術では、例えば、図８に示すように、楕円形のビーム断面形状１１０を有するレーザビーム光源を用いて、バーコードシンボルを形成する方法が一般的である。ところで、楕円形のビームの場合は、通常の円形のビームに比較して、ビームの断面積が大きいため、バーコードシンボルを形成するために必要な単位面積あたりのエネルギ密度を得ようとすると、レーザビーム光源の出力は面積に比例して高く設定する必要がある。したがって、前述の場合と同様にコストが高くつくという問題点がある。
【０００７】
本発明は、上記の事情に基づきなされたもので、その目的とするところは、低コストで情報を光ディスクに書き込むことが可能な光ディスク記録装置および光ディスク記録方法を提供することである。
【課題を解決するための手段】
【０００８】
上述の目的を達成するため、本発明の光ディスク記録装置は、光ディスクに情報を記録する光ディスク記録装置において、光ディスクを回転駆動する駆動手段と、光ディスクの回転角を検出する検出手段と、光ディスクのトラックに予め記録されているアドレス情報を読み取る読み取り手段と、光ディスクに書き込もうとする情報を記憶する記憶手段と、検出手段によって検出された回転角と、読み取り手段によって読み取られたアドレス情報とを参照し、記憶手段に記憶されている情報を、光ディスクの所定の位置に光学的に書き込む書き込み手段と、を有する。
【０００９】
このため、本発明によれば、低コストで情報を光ディスクに書き込むことが可能な光ディスク記録装置を提供することができる。
【００１０】
また、他の発明の光ディスク記録装置は、前述の発明に加えて、情報は著作権保護のためのバーコードシンボルであり、書き込み手段は、当該バーコードシンボルを、光ディスクのＮＢＣＡに光学的に書き込むようにしている。このため、著作権保護のためのバーコードシンボルをＮＢＣＡに安価かつ確実に書き込むことが可能になる。
【００１１】
また、他の発明の光ディスク記録装置は、前述の発明に加えて、書き込み手段による書き込みが正常であるか否かを判定する判定手段をさらに有するようにしている。このため、正常に書き込みがなされていない光ディスクについては、製品から確実に除外することができるので、製品の信頼性を向上できる。
【００１２】
また、他の発明の光ディスク記録装置は、前述の発明に加えて、判定手段は、バーコードシンボルが形成されたトラックのうちの複数のトラックについて判定を行うようにしている。このため、再生装置がどの位置から情報を読み取る場合でも確実に情報を読み取ることが可能な光ディスクを作成することができる。
【００１３】
また、他の発明の光ディスク記録装置は、前述の発明に加えて、書き込み手段は、光ディスクのデータ領域に情報を書き込むための書き込み手段と同一の書き込み手段によってバーコードシンボルを書き込むようにしている。このため、書き込み手段を構成するレーザ光源として低出力のものを使用することにより、光ディスク記録装置のコストを低減することができるとともに、装置の長寿命化を達成できる。
【００１４】
また、本発明の光ディスク記録方法は、光ディスクに情報を記録する光ディスク記録方法において、光ディスクを回転駆動し、光ディスクの回転角を検出し、光ディスクに予め記録されているアドレス情報を読み取り、光ディスクに書き込もうとする情報を記憶し、検出された回転角と、読み取られたアドレス情報とを参照し、記憶されている情報を、光ディスクに光学的に書き込む、ことを特徴とする。
【００１５】
このため、本発明によれば、低コストで情報を光ディスクに書き込むことが可能な光ディスク記録方法を提供することができる。
【発明を実施するための最良の形態】
【００１６】
以下、本発明の一実施の形態について、図面を参照して説明する。
【００１７】
図１は、本発明の実施の形態に係る光ディスク記録装置の構成例を示す図である。なお、本発明に係る光ディスク記録方法については、光ディスク記録装置の動作として説明する。図１に示すように、本発明の実施の形態に係る光ディスク記録装置１０は、スピンドルモータ１１、エンコーダ１２、制御部１３、光ピックアップ部１４、変復調部１５、デコーダ１６、エンコーダ１７、バーコードデコーダ１８、バーコードエンコーダ１９、ＣＰＵ（Central Processing Unit）２０、ＲＯＭ（Read Only Memory）２１、ＲＡＭ（Random Access Memory）２２、Ｉ／Ｆ（Interface）２３を主要な構成要素としている。
【００１８】
ここで、スピンドルモータ１１は、例えば、ＤＶＤ等の光ディスク１の中心軸に回転力を与えてこれを回転駆動する。エンコーダ１２は、後述するようにエンコーダスケールとエンコーダ読み取り部とを有し、スピンドルモータ１１の駆動軸に取り付けられたエンコーダスケールのパターンをエンコーダ読み取り部によって読み取ることにより、駆動軸の回転角を検出する。
【００１９】
図２は、図１に示すスピンドルモータ１１とエンコーダ１２の詳細な構成例を示す図である。この図に示すように、スピンドルモータ１１の駆動軸１１ａの一端には、光ディスク１をクランプして保持するためのクランプ部１１ｂが設けられている。また、駆動軸１１ａの他端には、円盤形状を有するエンコーダスケール１２ｂが設けられている。エンコーダスケール１２ｂの外周部には、光を遮断する遮断部１２ｃと、光を透過する透過部１２ｄとが交互に設けられている。なお、図２は、模式図であり、遮断部１２ｃと透過部１２ｄとは、図に示す場合よりも微細なパターンとして形成されている。エンコーダスケール１２ｂの外周部の一部は、エンコーダ読み取り部１２ａの検出部内を通過するように構成されている。検出部の内部には発光部と、受光部とがエンコーダスケール１２ｂを挟んで対向する位置に設けられている。発光部から射出された光は、エンコーダスケール１２ｂの遮断部１２ｃと透過部１２ｄとによって遮断または透過されて受光部に入射される。従って、受光部が検出する光の強度により、遮断部１２ｃまたは透過部１２ｄのいずれが発光部および受光部の間に位置しているかを検出することができる。
【００２０】
なお、エンコーダ１２としては、絶対エンコーダを使用してもよいし、相対エンコーダを使用して出力されるパルスをカウントしてその絶対位置を検出するようにしてもよい。検出された信号は、バーコードデコーダ１８、バーコードエンコーダ１９、および、ＣＰＵ２０に供給される。バーコードデコーダ１８、バーコードエンコーダ１９、および、ＣＰＵ２０は、エンコーダ１２の検出信号に基づいて、駆動軸１１ａの回転角を知ることができる。
【００２１】
図１に戻る。制御部１３は、ＣＰＵ２０の制御に基づいて、スピンドルモータ１１を駆動するとともに、光ピックアップ部１４に対してフォーカシング制御およびトラッキング制御等の制御を行う。また、制御部１３は、光ディスク１から情報を読み出す場合と、情報を書き込む場合とでレーザ光の光の強度を変更する制御を実行する。
【００２２】
光ピックアップ部１４は、レーザ光源、レーザ光源から照射されたレーザ光を光ディスク１に合焦させる光学部、光ディスク１から反射された光を電気信号に変換する検出部、および、フォーカシングとトラッキングを行うためのアクチュエータを主要な構成要素としている。なお、光ピックアップ部１４から出力されるレーザ光は、楕円形状を有するビームではなく、通常の略円形のビーム形状を有しており、また、その出力も光ディスク記録再生装置（光ディスク１のデータ領域に対して情報を読み書きするための記録再生装置）として通常に使用されている範囲内のものを使用している。
【００２３】
変復調部１５は、光ピックアップ１４によって光ディスク１のデータ領域（画像、動画、音声等の情報が記録された領域）から読み出された信号（高周波信号）を、２値化する復調処理を実行するとともに、エンコーダ１７から供給される２値化信号を高周波信号に変換する変調処理を実行する。また、変復調部１５は、後述するバーコードシンボルに格納されている情報を読み出す場合には、バーコードシンボルに対応する高周波信号を２値化する復調処理を実行するとともに、バーコードエンコーダ１９から供給される２値化信号を高周波信号に変換する変調処理を実行する。
【００２４】
デコーダ１６は、変復調部１５から供給された２値化信号を入力してデコードし、画像、動画、音声等の情報を生成し、Ｉ／Ｆ２３に供給する。エンコーダ１７は、Ｉ／Ｆ２３から入力された画像、動画、音声等の情報を、例えば、ＭＰＥＧ（Moving Picture Expert Group）方式等に基づいてエンコードし、２値化信号として変復調部１５に供給する。
【００２５】
バーコードデコーダ１８は、バーコードシンボルに記録された情報を読み出す際に、変復調部１５から出力される２値化信号を、エンコーダ１２からの信号を参照しながら復号し、元の情報を生成する処理を実行する。バーコードエンコーダ１９は、ＣＰＵ２０から供給される情報を、エンコーダ１２からの信号を参照しながら、バーコードシンボルに変換する処理を実行する。なお、これらの動作については後述する。
【００２６】
ＣＰＵ２０は、ＲＯＭ２１に格納されているプログラムまたはデータに基づいて、装置の各部を制御する中央制御装置である。ＲＯＭ２１は、ＣＰＵ２０が実行する基本的なプログラムまたはデータを格納する半導体記憶装置である。ＲＡＭ２２は、ＣＰＵ２０が実行するプログラムまたはデータを一時的に記憶するための半導体記憶装置である。
【００２７】
Ｉ／Ｆ２３は、外部の装置（例えば、パーソナルコンピュータまたはＡＶ（Audio Video）機器）と接続して情報を授受するためのインタフェースである。
【００２８】
つぎに、以上の実施の形態の動作について説明する。図３は、図１に示す光ディスク記録装置１０において、ＮＢＣＡ（Narrow Burst Cutting Area）にバーコードシンボルとしての情報を書き込む際の動作を説明するためのフローチャートである。このフローチャートが開始されると、以下のステップが実行される。
【００２９】
ステップＳ１０：ＣＰＵ２０は、制御部１３に対して制御信号を供給し、スピンドルモータ１１の回転を開始させる。スピンドルモータ１１の回転が開始されると、光ディスク１が所定の角速度で回転を開始する。なお、スピンドルモータ１１の制御としては、例えば、ＣＡＶ（Constant Angular Velocity）となるように制御する。
【００３０】
ステップＳ１１：ＣＰＵ２０は、制御部１３に対して制御信号を供給し、光ピックアップ部１４を光ディスク１の半径方向に移動させ、ＮＢＣＡまで移動させる。ここで、ＮＢＣＡとは、ＤＶＤ等の記録媒体において、複製世代を管理するための情報を記録するための領域である。
【００３１】
図４は、ＤＶＤ等の光ディスクの記録領域のレイアウトを説明するための図である。この図に示すように、ＤＶＤ等の光ディスク１では、ディスクの最内周には、記録を行う際に用いる専用の記録領域として、記録情報管理領域が配置されている。この記録情報管理領域には、記録時にレーザパワーの校正を行う領域としてのＰＣＡ（Power Calibration Area）と、記録管理情報の保存領域としてのＲＭＡ（Recording Management Area）とが形成されている。記録情報管理領域の外周側には、リードイン領域が設けられており、その内側には、例えば、光ディスク１枚毎に固有の製造番号に相当するバーコードシンボルを記録するためのＮＢＣＡが設けられている。リードイン領域の外周側は、データ領域とされており、ユーザによって任意の情報が書き込まれる。データ領域の外周側はリードアウト領域とされている。本実施の形態の光ディスク記録装置１０では、ＮＢＣＡにバーコードシンボルを書き込む。
【００３２】
ステップＳ１２：ＣＰＵ２０は、制御部１３に対して制御信号を供給し、フォーカシング処理を実行させる。その結果、光ピックアップ部１４は、ＮＢＣＡに形成されているトラックにビームを合焦する。
【００３３】
ステップＳ１３：ＣＰＵ２０は、制御部１３に対して制御信号を供給し、トラッキング処理を実行させる。その結果、光ピックアップ部１４から照射されるレーザ光は、ＮＢＣＡに存在しているトラック上を移動する。
【００３４】
ステップＳ１４：ＣＰＵ２０は、トラックに形成されているグルーブまたはランドのウォブリングパターンを読み取ることにより、トラックのアドレス情報を得る。なお、ウォブリングとは、トラックのアドレス情報に応じてガイド溝となるグルーブまたはランドを蛇行させたものである。当該ウォブリングを読み取ることにより、読み取り対象となっているトラックの位置を知ることができる。
【００３５】
ステップＳ１５：ＣＰＵ２０は、ステップＳ１４において取得されたアドレス情報に基づいて、バーコードシンボルを書き込むべき位置（目的位置）に到達したか否かを判定し、到達していない場合にはステップＳ１４に戻って同様の処理を繰り返し、それ以外の場合にはステップＳ１６に進む。
【００３６】
ステップＳ１６：ＣＰＵ２０は、例えば、ＲＡＭ２２に格納されている、例えば、メディアＩＤを取得する。なお、メディアＩＤは、記録型ＤＶＤ用の著作権保護技術であるＣＰＲＭ（Content Protection for Recordable Media）に対応する情報であって、光ディスク１に対して１枚毎に付与されたユニークな番号（例えば、製造番号）である。ＣＰＵ２０は、取得したメディアＩＤをバーコードエンコーダ１９に供給する。
【００３７】
ステップＳ１７：バーコードエンコーダ１９は、エンコーダ１２からの出力信号を取得する。
【００３８】
ステップＳ１８：バーコードエンコーダ１９は、ステップＳ１７において取得したエンコーダ１２の出力信号を参照して、所定の角度になったか否かを判定し、所定の角度になった場合にはステップＳ１９に進み、それ以外の場合にはステップＳ１７に戻って同様の処理を繰り返す。具体的には、図５に示すように、所定の角度を基準とした角度θ１が検出された場合には、所定の角度（書き込み開始角度）に到達したと判定してステップＳ１９に進む。
【００３９】
ステップＳ１９：バーコードエンコーダ１９は、バーコード書き込み処理を実行する。すなわち、バーコードエンコーダ１９は、図５に示すように、光ディスク１の角度θ１〜θ２の区間に対して、図５にその一部を拡大して示すようなバーコードエレメント１ｃを記録する処理を実行する。図６（Ｄ）に示すように、光ディスク１のＮＢＣＡ１ａには、ランドとグルーブとが形成されており、光ピックアップ部１４はグルーブ（またはランド）に対してトラッキング制御がなされているので、レーザ光１２０は図５に示す破線（トラックに対応）上をトレースしていく。光ディスク１がスピンドルモータ１１によって回転されると、エンコーダ１２からは、図６（Ａ）に示すようなエンコーダ信号が出力される。バーコードエンコーダ１９は、メディアＩＤを２値化データにエンコードし、当該２値化データと、エンコーダ信号とに応じて、変復調部１５に図６（Ｂ）に示す書き込み信号を出力する。その結果、変復調部１５は光ピックアップ部１４に対して書き込み用のレーザ光を照射し、記録媒体の一部を熱によって変質または昇華させることにより、バーコードエレメント（バーコードシンボルを構成する１本の溝）１ｃを光ディスク１に書き込む。なお、図６の例は、３回連続して２値化データが“１”である場合を示しているが、２値化データが“０”である場合には、バーコードシンボルは形成されない。そして、１つのトラックに対する書き込みは、角度θ２になるまで継続して行われる。
【００４０】
ステップＳ２０：バーコードエンコーダ１９は、所定数の書き込みが終了したか否かを判定し、終了した場合にはステップＳ２１に進み、それ以外の場合にはステップＳ１７に戻って同様の処理を繰り返す。例えば、１０８１トラック分の書き込みが終了した場合（光ディスク１が１０８１回回転した場合）には、ステップＳ２１に進む。
【００４１】
以上の処理により、図５に示すように、光ディスク１のＮＢＣＡ１ａに、メディアＩＤに対応するバーコードシンボル１ｂが角度θ１〜θ２の間に形成される。
【００４２】
ステップＳ２１：ＣＰＵ２０は、形成されたバーコードシンボルが正常であるか否かを判定するためにバーコード読み取り確認処理を実行する。なお、この処理の詳細については後述する。
【００４３】
ステップＳ２２：ＣＰＵ２０は、ステップＳ２１におけるバーコード読み取り確認処理の結果が正常であるか否かを判定し、正常である場合には処理を終了し、それ以外の場合にはステップＳ２３に進む。
【００４４】
ステップＳ２３：ＣＰＵ２０は、バーコードシンボルの書き込みに失敗したことを、例えば、図示せぬ表示部に表示することにより、管理者に通知する。その結果、管理者は、当該光ディスク１はバーコードの書き込みに失敗したことを知る。
【００４５】
つぎに、図７を参照して、図３のステップＳ２１に示すバーコード読み取り確認処理の詳細について説明する。図７に示す処理が開始されると、以下のステップが実行される。
【００４６】
ステップＳ３０：ＣＰＵ２０は、処理回数をカウントするための変数ｉに初期値“１”を代入する。
【００４７】
ステップＳ３１：ＣＰＵ２０は、制御部１３に対して制御信号を与え、光ピックアップ部１４を光ディスク１の内周側に移動させる。すなわち、書き込みが終了した時点では、光ピックアップ部１４はバーコードシンボルの最外周側に位置しているので、最内周側に移動させる。
【００４８】
ステップＳ３２：ＣＰＵ２０は、制御部１３に対して制御信号を供給し、フォーカシング処理を実行させる。その結果、光ピックアップ部１４は、ＮＢＣＡ１ａに形成されている所定のトラックにビームを合焦する。
【００４９】
ステップＳ３３：ＣＰＵ２０は、制御部１３に対して制御信号を供給し、トラッキング処理を実行させる。その結果、光ピックアップ部１４から照射される光ビームは、ＮＢＣＡ１ａに形成されているトラック上を移動する。
【００５０】
ステップＳ３４：ＣＰＵ２０は、トラックに形成されているランドまたはグルーブのウォブリングパターンを読み取ることにより、トラックのアドレス情報を読み取る。
【００５１】
ステップＳ３５：ＣＰＵ２０は、ステップＳ３４において取得されたアドレス情報に基づいて、バーコードシンボルが書き込まれている位置（目的位置）に到達したか否かを判定し、到達していない場合にはステップＳ３４に戻って同様の処理を繰り返し、それ以外の場合にはステップＳ３６に進む。
【００５２】
ステップＳ３６：バーコードデコーダ１８は、バーコードシンボルを読み取る処理を開始する。すなわち、光ピックアップ部１４が光ディスク１のＮＢＣＡ１ａの所定のトラックに沿って読み取り用のレーザ光を照射しながら移動すると、当該レーザ光は、光ディスク１の表面で反射されて受光部に入射される。このとき、光ピックアップ部１４から照射された光は、バーコード部分では反射率が低下するので、反射光の強度が弱くなる。それ以外の部分では、高い確率で反射されて光ピックアップ部１４の受光部に入射される。受光部は、当該反射光の強弱を、電気信号に変換して出力する。変復調部１５は、光ピックアップ部１４から出力された電気信号を２値化信号に変換し、書き込み後確認信号（図６（Ｃ）参照）として、バーコードデコーダ１８に供給する。バーコードデコーダ１８は、書き込み後確認信号を、エンコーダ１２からのエンコーダ信号（図６（Ａ）参照）に基づいてデコードし、もとのメディアＩＤを得る。そして、得られたメディアＩＤをＣＰＵ２０に供給する。
【００５３】
ステップＳ３７：ＣＰＵ２０は、バーコードデコーダ１８から供給されたメディアＩＤと、ＲＡＭ２２に格納されているメディアＩＤ（書き込みに使用したメディアＩＤ）とを比較し、これらが一致するか否かを判定する。その結果、一致する（正常である）と判定した場合には、ステップＳ３９に進み、それ以外の場合にはステップＳ３８に進む。
【００５４】
ステップＳ３８：ＣＰＵ２０は、書き込みエラーが生じたことを管理者に対して通知する。その結果、管理者は書き込みが成功しなかったことを知ることができる。
【００５５】
ステップＳ３９：ＣＰＵ２０は、処理回数をカウントする変数ｉの値を１インクリメントする。
【００５６】
ステップＳ４０：ＣＰＵ２０は、変数ｉの値が３より大きいか否かを判定し、大きい場合にはもとの処理に復帰し、それ以外の場合にはステップＳ３１に戻って同様の処理を繰り返す。すなわち、ステップＳ３１〜Ｓ３９の処理を３回繰り返した場合（正常な場合）にはもとの処理に復帰し、それ以外の場合にはステップＳ３１に戻って同様の処理を繰り返す。
【００５７】
なお、ステップＳ３１〜Ｓ３９の処理では、光ディスク１の内周側から外周側に向かって３カ所でバーコードシンボルを読み取って正常であるか否かを判断する処理を実行する。すなわち、図７に示す処理では、図５に示すように、バーコードシンボルの内周側のトラック１ｄに光ピックアップ部１４が移動されてバーコードシンボルが読み取られてチェックされ、続いて、中央のトラック１ｅに光ピックアップ部１４が移動されてチェックされ、最後に、外周側のトラック１ｆに光ピックアップ部１４が移動されてチェックされる。そして、３カ所においていずれも正常であると判断された場合には、書き込まれた情報が正常であると判断される。
【００５８】
以上の処理によれば、バーコードシンボルが正常に書き込まれたか否かを判定することができる。また、３カ所でチェックを行うようにしたので、再生装置によって情報の読み取り位置が異なる場合であっても、バーコードシンボルが確実に再生される光ディスク１のみを選択することができる。
【００５９】
以上に説明したように、本発明の実施の形態によれば、スピンドルモータ１１の駆動軸に対してエンコーダ１２を設け、当該エンコーダ１２の出力信号を参照し、光ディスク１の回転角を検出してバーコードシンボルを書き込むようにしたので、バーコードシンボルを精度よく記録することができる。
【００６０】
また、以上の実施の形態では、図８に示す従来の場合と異なり、円形形状で小径の書き込み用レーザビームを用いて、バーコードシンボルを記録するようにした。このため、従来に比較すると、１回あたりのバーコードエレメントの形成長が短いために、何度も書き込みを行う必要があるものの、従来の場合と比較して低出力のレーザ光源を使用することができるので、装置全体のコストを低減することができる。また、低出力のレーザ光源は長寿命であるので、装置全体の長寿命化を図ることが可能になる。なお、書き込み回数が増えることについては、光ディスク１の回転数を上げることにより、ある程度短縮することが可能である。
【００６１】
また、以上の実施の形態では、書き込み終了後に、バーコードシンボルを読み出して、チェックするようにしたので、バーコードシンボルが正常に書き込まれているか否かを判定することができる。また、３カ所についてチェックするようにしたので、どのような再生装置で再生された場合でも書き込まれた情報が確実に再生できるように担保することができる。
【００６２】
また、以上の実施の形態では、ＮＢＣＡに形成されたトラック上をトラッキングしながら、バーコードシンボルを書き込むようにしたので、例えば、光ディスク１が偏心した状態でクランプされた場合であっても、ＮＢＣＡの所定の位置にバーコードシンボルを形成することができる。偏心の影響を受けなくなる。
【００６３】
なお、以上の各実施の形態は、一例であって、これ以外にも種々の変形実施態様が存在する。例えば、図１に示す実施の形態では、デコーダ１６およびエンコーダ１７も具備して、データ領域に対してもデータの書き込みおよび読み出しを可能としたが、これらのデコーダ１６およびエンコーダ１７については除外して、バーコードシンボルの書き込みおよび読み出し専用の装置とすることも可能である。
【００６４】
また、以上の実施の形態では、ＮＢＣＡにバーコードシンボルを書き込む場合を例に挙げて説明したが、書き込み可能な情報はバーコードシンボルに限られず、例えば、文字情報または画像情報を書き込むようにしてもよい。また、ＮＢＣＡではなく、データ領域にバーコード、文字情報、または、画像情報を書き込むことができるようにしてもよい。
【００６５】
また、以上の実施の形態では、エンコーダ１２としては、図６に示すように、バーコードエレメントが形成される角度と対応する位置に、遮断部１２ｃまたは透過部１２ｄを有するエンコーダスケールを用いるようにしたが、バーコードエレメントの間隔に対して２倍の間隔で遮光部または透光部を有するエンコーダスケールを用いるとともに、２個の受光部を９０度ずれた状態で配置し、それらの出力信号の排他的論理和を演算して得られた結果をエンコーダ信号として利用することも可能である。そのような実施の形態によれば、エンコーダスケールとして、精度の低いものを利用することができるので、装置のコストを低減することができる。
【００６６】
また、以上の実施の形態では、１枚の光ディスク１にバーコードシンボルを書き込む場合について説明したが、複数の光ディスクに対してバーコードシンボルを書き込む場合には、例えば、図７の処理の判定結果に応じて、レーザ光の強度を変化させたり、光ディスク１の回転速度を変化させたりするようにしてもよい。具体的には、エラーの発生率が高い場合には、レーザ光の強度を増したり、回転数を減速したりするようにしてもよい。そのような方法によれば、ロットとしてのエラーの発生率を減少させることができる。また、エラーの発生率が低い場合には、レーザ光の強度を減少させたり、回転数を増加させたりすることができる。レーザ光の強度を減少させる場合には、レーザ光源の寿命を長くすることができる。また、回転数を増加する場合には、書き込み処理に必要な時間を短縮することができる。
【００６７】
また、以上の実施の形態では、図７の処理において、書き込みに失敗したと判定した場合には、エラー通知をして終了するようにしたが、エラー通知をする前に再度の書き込みを行うようにしてもよい。そして、再度の書き込みの後に、再度確認を行って、それでも失敗したと判定した場合にエラー通知をするようにしてもよい。そのような方法によれば、光ディスク１を有効利用することができる。
【００６８】
また、以上の実施の形態では、書き込み処理と、確認処理とを別々のプロセスとして実行するようにしたが、１本のトラックに書き込みが終了した時点で、当該トラックについて確認処理を実行し、成功したと判定した場合には、次のトラックに進み、失敗した場合には、再度書き込みを実行するようにしてもよい。そのような方法によれば、バーコードシンボルを確実に記録することができる。
【産業上の利用可能性】
【００６９】
本発明は、例えば、バーコードを光ディスクに記録する光ディスク記録装置に利用することができる。
【図面の簡単な説明】
【００７０】
【図１】本発明の実施の形態の構成例を示す図である。
【図２】図１に示すスピンドルモータとエンコーダの詳細な構成例を示す図である。
【図３】図１の動作を説明するためのフローチャートである。
【図４】光ディスクの記録領域のレイアウトを示す図である。
【図５】光ディスクに記録されたバーコードシンボルの詳細を示す図である。
【図６】エンコーダ信号、書き込み信号、および、書き込み後確認信号の関係を示す図である。
【図７】図３のステップＳ２１に示すバーコード読み取り確認処理の詳細を示すフローチャートである。
【図８】従来におけるバーコードシンボルの書き込み方法を示す図である。
【符号の説明】
【００７１】
１  光ディスク、１０  光ディスク記録装置、１１  スピンドルモータ（駆動手段）、１２  エンコーダ（検出手段）、１４  光ピックアップ部（読み取り手段、書き込み手段）、２０  ＣＰＵ（判定手段）、２２  ＲＡＭ（記憶手段）
【図１】
2007280438.tif 000003
【図２】
2007280438.tif 000004
【図３】
2007280438.tif 000005
【図４】
2007280438.tif 000006
【図５】
2007280438.tif 000007
【図６】
2007280438.tif 000008
【図７】
2007280438.tif 000009
【図８】
2007280438.tif 000010